(57)【要約】      （修正有）【課題】閲覧者と、価値観、興味、趣味、嗜好の近い投稿者を検索する方法と、その投稿者が投稿した閲覧者にとって未知の情報を閲覧する方法と、投稿者を特定して質問をするプロフィール情報サービスシステムを提供する。【解決手段】投稿者に対し、１００項目を超えるプロフィール項目を用意し、これらのプロフィール項目を属性、趣味、嗜好別に分類して表示し、投稿者に、クライアント端末（投稿者端末）から、１つのプロフィール項目につき２つ以上の複数のプロフィール情報をサーバ装置内のデータベースに投稿させ、投稿者が情報に詳しい２つ以上の複数の情報分野を投稿させる。【選択図】図１
2012137903.tif 000002
【特許請求の範囲】
【請求項１】
投稿者に対し、１００項目を超えるプロフィール項目を属性、趣味、嗜好別に分類して表示する段階を備え、１つのプロフィール項目につき２つ以上の複数のプロフィール情報をサーバ装置内のデータベースに投稿させる段階を備え、閲覧者が閲覧者の価値観、興味、趣味、嗜好に関する検索キーワードで検索をする段階とを備えることを特徴とするプロフィール情報サービスシステム。
【請求項２】
質問者が質問者の価値観、興味、趣味、嗜好に関する検索キーワードで投稿者を検索する段階を備え、その検索結果から質問者と価値観、興味、趣味、嗜好が近い投稿者を特定して質問をする段階とを備えることを特徴とする請求の範囲第１項記載のプロフィール情報サービスシステム。
【発明の詳細な説明】
【技術分野】
【０００１】
本発明は、コンピュータシステムを用いたプロフィール情報サービスシステムに関わり、閲覧者とプロフィール、価値観、興味、趣味、嗜好が一致する投稿者を検索し、その投稿者が１つのプロフィール項目について投稿した複数のプロフィール情報を閲覧し、その投稿者を特定して質問することを可能にする環境を提供する、プロフィール情報サービスシステムに関する。
【背景技術】
【０００２】
従来、インターネットにおけるfacebook（登録商標）、mixi（登録商標）、モバゲーTOWN（登録商標）、GREE（登録商標）などのソーシャルネットワーキングサービス、前略プロフィール（登録商標）などのプロフィール情報サービス、アメーバ（登録商標）などのブログサービス、価格.com（登録商標）、食べログ（登録商標）などの口コミ情報サービスでは、利用者のプロフィール情報を投稿し、検索し、利用者と連絡を取ることのできるサービス事業が運営されている。
【０００３】
従来、インターネットにおけるOKWave（登録商標）、Yahoo知恵袋（登録商標）、教えて! goo（登録商標）などのQ&Aサービスでは、利用者に質問をし、回答することのできるサービス事業が運営されている。
【発明の概要】
【発明が解決しようとする課題】
【０００４】
しかしながら、上述した０００２項のサービス事業などでは、投稿者が投稿できるプロフィール項目の数が最大でも１００項目程度と少ないため、閲覧者が価値観、興味、趣味、嗜好の一致する投稿者を発見しにくい。
【０００５】
さらに、上述した０００２項のサービス事業などでは、投稿できるプロフィール項目が分類されておらず、投稿者にとって投稿するプロフィール項目の選択の余地が無かったり、プロフィール項目が選択しにくい。
【０００６】
加えて、上述した０００２項のサービス事業などでは、１つのプロフィール項目に対し１つのプロフィール情報しか投稿することができないため、閲覧者にとって投稿者が１つのプロフィール項目について他にどのような価値観、興味、趣味、嗜好などのプロフィール情報を有しているかを閲覧することができない。例えば、「好きな映画」というプロフィール項目について「ゴッドファーザー」というように１つのプロフィール情報しか投稿することができないため、閲覧者と同じ映画「ゴッドファーザー」が好きな投稿者を検索することはできても、その投稿者が他にどのような映画が好きなのかまでは分からない。従って、閲覧者と同じ映画「ゴッドファーザー」を好きな投稿者が閲覧者にとって価値観、興味、趣味、嗜好が一致する未知の情報を有していても閲覧者にはその情報を知ることができない。
【０００７】
また、上述した０００３項のサービス事業などでは、質問者が質問をする時点で回答者が不明であるため、質問者と価値観、興味、趣味、嗜好が一致する回答者を特定して質問することができない。
【０００８】
加えて、上述した０００３項のサービス事業などでは、回答者、質問者の価値観、興味、趣味、嗜好に関する情報を閲覧することができないため、回答者にとっては、どのような詳細度で回答をしてよいか分からず、質問者にとっては質問者が希望する詳細度の回答が得られる機会が少ない。
【課題を解決するための手段】
【０００９】
上記目的を達成するために、本発明によれば、１００項目を超えるプロフィール項目を属性、趣味、嗜好別に分類して表示し、１つのプロフィール項目に対し２つ以上の複数のプロフィール情報を投稿者端末から投稿することができる記憶手段と、閲覧者の価値観、興味、趣味、嗜好に関する検索キーワードで検索をすることができる閲覧手段と、質問者と価値観、興味、趣味、嗜好が一致する投稿者を特定して質問をすることができる連絡手段、を具備したことを特徴とするプロフィール情報サービスシステムが提供される。
【発明の効果】
【００１０】
本発明によれば、閲覧者と価値観、興味、趣味、嗜好が一致する投稿者を容易に検索して発見することが可能であり、検索された投稿者が閲覧者の興味のあるプロフィール項目について、検索に使用した検索キーワードを含むプロフィール情報の他にどのような価値観、興味、趣味、嗜好を有しているかを閲覧することが可能であり、質問者と価値観、興味、趣味、嗜好が一致する回答者を特定して質問することが可能であるプロフィール情報サービスシステムを提供できる。
【図面の簡単な説明】
【００１１】
【図１】本発明の実施形態に係るプロフィール情報サービスシステムの構成図。
【図２】クライアント端末に表示されるプロフィール分類表示画面の画面情報の一例を示した模式図。
【図３】クライアント端末に表示されるプロフィール項目表示画面の画面情報の一例を示した模式図。
【図４】クライアント端末に表示されるプロフィール情報投稿画面の画面情報の一例を示した模式図。
【図５】クライアント端末に表示される閲覧者の検索画面の画面情報の一例を示した模式図。
【図６】クライアント端末に表示される閲覧者の検索結果表示画面の画面情報の一例を示した模式図。
【図７】クライアント端末に表示される閲覧者の検索結果表示画面の画面情報の一例を示した模式図。
【図８】クライアント端末に表示される閲覧者の検索結果表示画面の画面情報の一例を示した模式図。
【図９】本発明のプロフィール情報サービスシステムを適用したプロフィール情報投稿、検索、閲覧方法を示したフローチャート。
【図１０】クライアント端末に表示されるプロフィール情報投稿画面の画面情報の一例を示した模式図。
【図１１】クライアント端末に表示される質問者の検索画面の画面情報の一例を示した模式図。
【図１２】クライアント端末に表示される質問者の検索結果表示画面の画面情報の一例を示した模式図。
【図１３】クライアント端末に表示される質問者の検索結果表示画面の画面情報の一例を示した模式図。
【図１４】クライアント端末に表示される質問者の検索した投稿者が投稿したプロフィール情報一覧表示画面の画面情報の一例を示した模式図。
【図１５】クライアント端末に表示される質問者の投稿者に対する質問実行画面の画面情報の一例を示した模式図。
【図１６】クライアント端末に表示される回答者に質問した質問者が投稿したプロフィール情報一覧表示画面の画面情報の一例を示した模式図。
【図１７】本発明のプロフィール情報サービスシステムを適用した投稿、検索、質問、回答方法を示したフローチャート。
【発明を実施するための形態】
【００１２】
（第１実施形態）
以下、図面を参照して本発明の第１の実施形態を説明する。
【００１３】
図１には、本発明の実施形態に係るプロフィール情報サービスシステムの構成図が示されている。このプロフィール情報サービスシステムは、インターネット等のネットワーク１０２に接続された情報提供を行うサーバ装置１０１と、ネットワーク１０２に接続された各クライアント端末１０３として実現される。
【００１４】
なお、クライアント端末１０３からのアクセスは、投稿者または閲覧者の２つの場合が考えられる。
【００１５】
プロフィール分類の表示は、例えば、図２に示すようにクライアント端末１０３に表示され、投稿者は、「映画」という分類を選択する。
【００１６】
プロフィール分類に属するプロフィール項目の表示は、例えば、図３に示すようにクライアント端末１０３に表示され、投稿者は、「最近観て良かった映画」というプロフィール項目を選択する。
【００１７】
投稿者のプロフィール情報の投稿は、例えば、図４に示すようにクライアント端末１０３に表示され、投稿者は、「最近観て良かった映画」というプロフィール項目に「１．しあわせの隠れ場所」、「２．ハートロッカー」、「３．マイレージ、マイライフ」というように、１つ以上のプロフィール情報を入力する。以上の入力が済むと、「登録」ボタンをクリックすることで、投稿者の当該プロフィール項目に関するプロフィール情報をサーバ装置１０１に投稿が完了する。
【００１８】
閲覧者による検索方法は、例えば、図５に示すようにクライアント端末１０３に表示され、閲覧者は、閲覧者の価値観、興味、趣味、嗜好に関する検索キーワード、例えば「ハートロッカー」を入力し、「検索」ボタンをクリックすることで、サーバ装置１０１に投稿された投稿者のプロフィール情報が検索される。
【００１９】
閲覧者が検索をした結果の一覧は、例えば、図６に示すように、閲覧者が入力した検索キーワード「ハートロッカー」を含む投稿者のプロフィール項目の一覧がクライアント端末１０３に表示される。
【００２０】
閲覧者が選択をした検索結果は、例えば、図７に示すように、入力した検索キーワード「ハートロッカー」を含む投稿者のプロフィール項目の一覧から、例えば「最近観て良かった映画」を選択することで、「最近観て良かった映画」というプロフィール項目に「ハートロッカー」という検索キーワードを含むプロフィール情報を投稿した投稿者の一覧が、クライアント端末１０３に表示される。
【００２１】
例えば、図７に示した投稿者の一覧は、閲覧者が「最近観て良かった映画」という項目で「ハートロッカー」が良かったと感じている閲覧者と同じ価値観、興味、趣味、嗜好を感じている投稿者の一覧であるといえる。
【００２２】
そして、閲覧者と価値観、興味、趣味、嗜好が一致する投稿者の一覧から、例えば、図８に示したように、特定の投稿者が投稿した複数のプロフィール情報「１．しあわせの隠れ場所」、「２．ハートロッカー」、「３．マイレージ、マイライフ」、および、投稿者の性別、年齢、自己紹介文などの投稿者の基本プロフィール情報を閲覧することができる。
【００２３】
この閲覧者が、例えば、図８に示した複数のプロフィール情報のうち、「２．ハートロッカー」が閲覧者にとって既知の情報で、「１．しあわせの隠れ場所」、「３．マイレージ、マイライフ」が未知の情報であったとすると、これらの未知の情報は、閲覧者と価値観、興味、趣味、嗜好が一致する投稿者の発信している未知の情報であり、閲覧者にとっては、自分と価値観、興味、趣味、嗜好が一致する投稿者を検索したうえに、価値観、興味、趣味、嗜好が一致する投稿者の発信する閲覧者にとって有益な未知の情報も閲覧できたことになる。
【００２４】
この機能によって、例えば、図９のフローチャートに示したように、閲覧者は非常に短時間のうちに閲覧者と価値観、興味、趣味、嗜好が一致する投稿者を検索し、閲覧者と価値観、興味、趣味、嗜好が一致する投稿者が発する自己に有益な未知の情報を閲覧することができ、上述した例では、「最近観て良かった映画」を例にしているが、本発明では、図２に示したように、利用者の日常生活における多様な価値観、興味、趣味、嗜好を充足した情報の充実に役立てることができるのである。
【００２５】
（第２実施形態）
次に、図面を参照して本発明の第２の実施形態を説明する。
【００２６】
図１には、本発明の実施形態に係るプロフィール情報サービスシステムの構成図が示されている。このプロフィール情報サービスシステムは、インターネット等のネットワーク１０２に接続された情報提供を行うサーバ装置１０１と、ネットワーク１０２に接続された各クライアント端末１０３として実現される。
【００２７】
なお、クライアント端末１０３からのアクセスは、投稿者、質問者、回答者の３つの場合が考えられる。
【００２８】
投稿者が質問を受け付けるプロフィール情報の投稿は、例えば、図１０に示すようにクライアント端末１０３に表示され、投稿者は、「質問を受け付ける情報」というプロフィール項目に「１．港区のグルメ全般」、「２．子連れ旅行のおすすめのプラン」、「３．お取り寄せスイーツ」というように、１つ以上の質問を受け付けるプロフィール情報を入力する。以上の入力が済むと、「登録」ボタンをクリックすることで、投稿者が質問を受け付けるプロフィール情報をサーバ装置１０１に投稿が完了する。
【００２９】
質問者による検索方法は、例えば、図１１に示すようにクライアント端末１０３に表示され、質問者は、質問者の質問に関する検索キーワード、例えば「子連れ」を入力し、「検索」ボタンをクリックすることで、サーバ装置１０１に投稿された投稿者が質問を受け付けるプロフィール情報が検索される。
【００３０】
質問者が検索をした結果の一覧は、例えば、図１２に示すように、質問者が入力した検索キーワード「子連れ」を含む、投稿者が質問を受け付けるプロフィール情報の一覧がクライアント端末１０３に表示される。
【００３１】
質問者が選択をした検索結果は、例えば、図１３に示すように、入力した検索キーワード「子連れ」を含む、投稿者が質問を受け付けるプロフィール情報の一覧から、例えば「子連れ旅行におすすめのプラン」を選択することで、「子連れ旅行におすすめのプラン」というプロフィール情報で質問を受け付けている投稿者の質問を受け付けているプロフィール情報、および、投稿者の性別、年齢、自己紹介文などの投稿者の基本プロフィール情報を閲覧することができる。
【００３２】
質問者は、例えば、図１４に示すように、選択した投稿者が投稿した全てのプロフィール項目のプロフィール情報をクライアント端末１０３に表示して閲覧することができる。
【００３３】
そして、質問者は、例えば、図１２に示した投稿者の検索結果一覧から、質問者と価値観、興味、趣味、嗜好が近い投稿者を選択し、例えば、図１５に示すように、投稿者を指定して質問をすることができる。
【００３４】
回答者は、例えば、図１６に示すように、質問者が投稿した全てのプロフィール項目のプロフィール情報をクライアント端末１０３に表示して閲覧することができる。従って、回答者は、回答をする前に質問者の価値観、興味、趣味、嗜好を知ることができ、回答する際には質問者が希望する回答の詳細度を把握することができるのである。
【００３５】
この機能によって、例えば、図１７のフローチャートに示したように、質問者は非常に短時間のうちに自分と価値観、興味、趣味、嗜好が一致する利用者を検索し、質問することができ、回答者は質問者の価値観、興味、趣味、嗜好を把握したうえで回答をすることができ、質問者は日常生活における価値観、興味、趣味、嗜好を充足した情報の充実に役立てることができるのである。
【００３６】
なお、本発明は、上記実施形態そのままに限定されるものではなく、実施段階ではその要旨を逸脱しない範囲で構成要素を変形して具体化できる。例えば、１つのプロフィール項目に２つ以上の複数のプロフィール情報を投稿させる実施形態において、第１実施形態では１つのプロフィール項目に３つのプロフィール情報を投稿させる形態をとっているが、これは、２つ以上であれば本発明の要旨を逸脱しない。更に、第２実施形態では、質問と回答いう形態をとっているが、利用者どうしが情報を交換できる形式であれば、電話、ＩＰ電話、掲示板、チャット、電子メール、メッセージシステムなどの情報交換の形態であれば本発明の要旨を逸脱しない。
【符号の説明】
【００３７】
１０１
… サーバ装置
１０２
… ネットワーク
１０３
… クライアント端末
【図１】
2012137903.tif 000003
【図２】
2012137903.tif 000004
【図３】
2012137903.tif 000005
【図４】
2012137903.tif 000006
【図５】
2012137903.tif 000007
【図６】
2012137903.tif 000008
【図７】
2012137903.tif 000009
【図８】
2012137903.tif 000010
【図９】
2012137903.tif 000011
【図１０】
2012137903.tif 000012
【図１１】
2012137903.tif 000013
【図１２】
2012137903.tif 000014
【図１３】
2012137903.tif 000015
【図１４】
2012137903.tif 000016
【図１５】
2012137903.tif 000017
【図１６】
2012137903.tif 000018
【図１７】
2012137903.tif 000019